(57)【要約】【課題】ＤカットレンズあるいはダブルＤカットレンズを用いた場合でもレンズの位置決めを正確に行う上で有利なレンズ鏡筒および撮像装置を提供する。【解決手段】第１の固定レンズ２２０２の２つの第１側面部２２２２のうちの１つの第１側面部２２２２を、位置決め面とされた第１孔面６８０６に当て付けつつ、一方の壁面６６０２から孔部６８に挿入する。位置決め面とされた第１孔面６８０６に第１側面部２２２２を当て付けつつ第１の固定レンズ２２０２を挿入していくと、当て付け部７２に第１の固定レンズ２２０２の一方の面が当て付けられる。位置決め面とされる第１孔面６８０６の両端に凹部７０が設けられているので、第１の固定レンズ２２０２の角部２２２６が孔部６８を構成する壁面に当接し壁面を欠くなどの不具合が防止される。【選択図】        図４
2006227404.tif 000002
【特許請求の範囲】
【請求項１】
鏡筒に設けられ被写体像を撮像素子に導く光学系を有し、
前記光学系を構成する少なくとも１つのレンズは、その側面が、互いに平行する平面が前記レンズの厚さ方向と直交する方向に延在する２つの第１側面部と、前記２つの第１側面部の延在方向の両端を接続する２つの第２側面部とを有し、
前記１つのレンズを収容するレンズ収容室は、前記レンズの光軸方向に間隔をおいた２つの壁面で挟まれた前記鏡筒の壁部に貫通された孔部により構成され、
前記孔部は、前記レンズの輪郭よりも大きな輪郭で前記２つの壁面のうちの一方の壁面に開口する第１開口部と、前記第１開口部に連なり前記孔部の軸心と直交する方向に平行して延在し前記２つの第１側面部に臨む２つの第１孔面と、前記第１開口部に連なり前記２つの第２側面部に臨む２つの第２孔面とを備え、
前記２つの第１孔面のうちの少なくとも一方の前記第１孔面の延在方向の両端と前記第２孔面との境の箇所に、前記孔部の軸心から離れる方向で前記第１孔面および前記第２孔面の外側に広がり前記孔部に開放状の凹部が前記一方の壁面から前記他方の壁面に向かって延在形成されている、
ことを特徴とするレンズ鏡筒。
【請求項２】
前記凹部が延在方向の両端に形成される前記第１孔面は、前記２つの第１側面部間を結ぶ方向におけるレンズの位置決め面であることを特徴とする請求項１記載のレンズ鏡筒。
【請求項３】
前記孔部は、前記２つの壁面のうちの他方の壁面に開口する第２開口部を備え、前記孔部の第２開口部寄りの箇所に、前記レンズの厚さ方向の一方の面に当て付けられる当て付け部が設けられ、前記凹部は、前記一方の壁面からの深さが前記当て付け部よりも大きい寸法で形成されていることを特徴とする請求項１記載のレンズ鏡筒。
【請求項４】
前記第１孔面には、前記一方の壁面近傍において前記一方の壁面に近づくにつれ前記孔部から次第に離れる傾斜面が前記第１孔面の延在方向の全長にわたって延在形成されていることを特徴とする請求項２記載のレンズ鏡筒。
【請求項５】
前記第２側面部は、前記第２側面部の延在方向の両端よりも延在方向の中間箇所が前記孔部の軸心から最も離れる湾曲面で形成され、前記第２孔面は、前記第２側面部に対応した湾曲面で形成されていることを特徴とする請求項１記載のレンズ鏡筒。
【請求項６】
前記他方の壁面寄りの前記第２孔面箇所に、前記孔部の内側に突出する底壁が設けられ、前記凹部の底部は前記底壁で形成されていることを特徴とする請求項１記載のレンズ鏡筒。
【請求項７】
前記他方の壁面寄りの前記第２孔面箇所に、前記孔部の内側に突出する底壁が設けられ、前記凹部の底部は前記底壁で形成され、前記当て付け部は前記底壁上に設けられていることを特徴とする請求項３記載のレンズ鏡筒。
【請求項８】
前記孔部は、前記２つの壁面のうちの他方の壁面に開口する第２開口部を備え、前記第２開口部は、前記レンズの輪郭よりも小さな輪郭で前記他方の壁面に開口していることを特徴とする請求項１記載のレンズ鏡筒。
【請求項９】
前記孔部が貫通された前記鏡筒の壁部は合成樹脂製であり、前記レンズはガラス製であることを特徴とする請求項１記載のレンズ鏡筒。
【請求項１０】
鏡筒に設けられ被写体像を撮像素子に導く光学系を有し、
前記光学系を構成する少なくとも１つのレンズは、その側面が、平面からなる第１側面部と、湾曲面からなり前記第１側面部の両端を接続する第２側面部とを有し、
前記１つのレンズを収容するレンズ収容室は、前記レンズの光軸方向に間隔をおいた２つの壁面で挟まれた前記鏡筒の壁部に貫通された孔部により構成され、
前記孔部は、前記レンズの輪郭よりも大きな輪郭で前記２つの壁面のうちの一方の壁面に開口する第１開口部と、前記第１開口部に連なり前記第１側面部に臨む第１孔面と、前記第１開口部に連なり前記第２側面部に臨む第２孔面とを備え、
前記第１孔面の両端と前記第２孔面との境の箇所に、前記孔部の軸心から離れる方向で前記第１孔面および前記第２孔面の外側に広がり前記孔部に開放状の凹部が前記一方の壁面から前記他方の壁面に向かって延在形成されている、
ことを特徴とするレンズ鏡筒。
【請求項１１】
前記第１孔面が、前記第１側面部と直交する方向におけるレンズの位置決め面とされることを特徴とする請求項１０記載のレンズ鏡筒。
【請求項１２】
前記孔部は、前記２つの壁面のうちの他方の壁面に開口する第２開口部を備え、前記孔部の第２開口部寄りの箇所に、前記レンズの厚さ方向の一方の面に当て付けられる当て付け部が設けられ、前記凹部は、前記一方の壁面からの深さが前記当て付け部よりも大きい寸法で形成されていることを特徴とする請求項１０記載のレンズ鏡筒。
【請求項１３】
前記第１孔面には、前記一方の壁面近傍において前記一方の壁面に近づくにつれ前記孔部から次第に離れる傾斜面が前記第１孔面の延在方向の全長にわたって延在形成されていることを特徴とする請求項１０記載のレンズ鏡筒。
【請求項１４】
前記他方の壁面寄りの前記第２孔面箇所に、前記孔部の内側に突出する底壁が設けられ、前記凹部の底部は前記底壁で形成されていることを特徴とする請求項１０記載のレンズ鏡筒。
【請求項１５】
前記他方の壁面寄りの前記第２孔面箇所に、前記孔部の内側に突出する底壁が設けられ、前記凹部の底部は前記底壁で形成され、前記当て付け部は前記底壁上に設けられていることを特徴とする請求項１２記載のレンズ鏡筒。
【請求項１６】
前記孔部は、前記２つの壁面のうちの他方の壁面に開口する第２開口部を備え、前記第２開口部は、前記レンズの輪郭よりも小さな輪郭で前記他方の壁面に開口していることを特徴とする請求項１０記載のレンズ鏡筒。
【請求項１７】
前記孔部が貫通された前記鏡筒の壁部は合成樹脂製であり、前記レンズはガラス製であることを特徴とする請求項１０記載のレンズ鏡筒。
【請求項１８】
鏡筒に設けられ被写体像を撮像素子に導く光学系を有し、
前記光学系を構成する少なくとも１つのレンズはその側面に角部を有し、
前記１つのレンズを収容するレンズ収容室は、前記レンズの光軸方向に間隔をおいた２つの壁面で挟まれた前記鏡筒の壁部に貫通された孔部により構成され、
前記孔部は、前記レンズの輪郭よりも大きな輪郭で前記２つの壁面のうちの一方の壁面に開口する第１開口部と、前記第１開口部に連なり前記レンズの側面に臨む孔面とを備え、
前記角部に対応する前記孔面箇所に、前記孔部の軸心から離れる方向で前記孔面の外側に広がり前記孔部に開放状の凹部が前記一方の壁面から前記他方の壁面に向かって延在形成されている、
ことを特徴とするレンズ鏡筒。
【請求項１９】
前記孔部は、前記２つの壁面のうちの他方の壁面に開口する第２開口部を備え、前記孔部の第２開口部寄りの箇所に、前記レンズの厚さ方向の一方の面に当て付けられる当て付け部が設けられ、前記凹部は、前記一方の壁面からの深さが前記当て付け部よりも大きい寸法で形成されていることを特徴とする請求項１８記載のレンズ鏡筒。
【請求項２０】
前記他方の壁面寄りの前記孔面箇所に、前記孔部の内側に突出する底壁が設けられ、前記凹部の底部は前記底壁で形成されていることを特徴とする請求項１８記載のレンズ鏡筒。
【請求項２１】
前記他方の壁面寄りの前記孔面箇所に、前記孔部の内側に突出する底壁が設けられ、前記凹部の底部は前記底壁で形成され、前記当て付け部は前記底壁上に設けられていることを特徴とする請求項１９記載のレンズ鏡筒。
【請求項２２】
鏡筒に設けられた撮像素子と、前記鏡筒の内部で被写体像を前記撮像素子に導く光学系とを有するレンズ鏡筒を備える撮像装置であって、
前記光学系を構成する少なくとも１つのレンズは、その側面が、互いに平行する平面が前記レンズの厚さ方向と直交する方向に延在する２つの第１側面部と、前記２つの第１側面部の延在方向の両端を接続する２つの第２側面部とを有し、
前記１つのレンズを収容するレンズ収容室は、前記レンズの光軸方向に間隔をおいた２つの壁面で挟まれた前記鏡筒の壁部に貫通された孔部により構成され、
前記孔部は、前記レンズの輪郭よりも大きな輪郭で前記２つの壁面のうちの一方の壁面に開口する第１開口部と、前記第１開口部に連なり前記孔部の軸心と直交する方向に平行して延在し前記２つの第１側面部に臨む２つの第１孔面と、前記第１開口部に連なり前記２つの第２側面部に臨む２つの第２孔面とを備え、
前記２つの第１孔面のうちの少なくとも一方の前記第１孔面の延在方向の両端と前記第２孔面との境の箇所に、前記孔部の軸心から離れる方向で前記第１孔面および前記第２孔面の外側に広がり前記孔部に開放状の凹部が前記一方の壁面から前記他方の壁面に向かって延在形成されている、
ことを特徴とする撮像装置。
【請求項２３】
鏡筒に設けられた撮像素子と、前記鏡筒の内部で被写体像を前記撮像素子に導く光学系とを有するレンズ鏡筒を備える撮像装置であって、
前記光学系を構成する少なくとも１つのレンズは、その側面が、平面からなる第１側面部と、湾曲面からなり前記第１側面部の両端を接続する第２側面部とを有し、
前記１つのレンズを収容するレンズ収容室は、前記レンズの光軸方向に間隔をおいた２つの壁面で挟まれた前記鏡筒の壁部に貫通された孔部により構成され、
前記孔部は、前記レンズの輪郭よりも大きな輪郭で前記２つの壁面のうちの一方の壁面に開口する第１開口部と、前記第１開口部に連なり前記第１側面部に臨む第１孔面と、前記第１開口部に連なり前記第２側面部に臨む第２孔面とを備え、
前記第１孔面の両端と前記第２孔面との境の箇所に、前記孔部の軸心から離れる方向で前記第１孔面および前記第２孔面の外側に広がり前記孔部に開放状の凹部が前記一方の壁面から前記他方の壁面に向かって延在形成されている、
ことを特徴とする撮像装置。
【請求項２４】
鏡筒に設けられた撮像素子と、前記鏡筒の内部で被写体像を前記撮像素子に導く光学系とを有するレンズ鏡筒を備える撮像装置であって、
前記光学系を構成する少なくとも１つのレンズはその側面に角部を有し、
前記１つのレンズを収容するレンズ収容室は、前記レンズの光軸方向に間隔をおいた２つの壁面で挟まれた前記鏡筒の壁部に貫通された孔部により構成され、
前記孔部は、前記レンズの輪郭よりも大きな輪郭で前記２つの壁面のうちの一方の壁面に開口する第１開口部と、前記第１開口部に連なり前記レンズの側面に臨む孔面とを備え、
前記角部に対応する前記孔面箇所に、前記孔部の軸心から離れる方向で前記孔面の外側に広がり前記孔部に開放状の凹部が前記一方の壁面から前記他方の壁面に向かって延在形成されている、
ことを特徴とする撮像装置。
【発明の詳細な説明】
【技術分野】
【０００１】
本発明はレンズ鏡筒および撮像装置に関する。
【背景技術】
【０００２】
デジタルスチルカメラなどの撮像装置のレンズ鏡筒はレンズが鏡筒に収容保持されて構成されているが、鏡筒におけるレンズの光軸と直交する方向の寸法を削減するために、レンズの有効径の外側部分を前記光軸と平行な平面で切り取った、いわゆるＤカットを形成したレンズを用いたものが提案されている（特許文献１参照）。
【特許文献１】特開平７−１９９０１９号公報
【発明の開示】
【発明が解決しようとする課題】
【０００３】
ところで、Ｄカットレンズでは、レンズ外周が、平面部と、平面部の両端を接続する円筒面部とで構成され、平面部と円筒面部の境に角部が形成されることになる。
そして、鏡筒の組み立て時、Ｄカットレンズの角部が鏡筒の壁面に当たって壁面を削り、削られた部分が、レンズの光軸方向の位置決めを行う当て付け部の上に載り、Ｄカットレンズの位置決めが正確に行いがたい不具合があった。
本発明はこのような事情に鑑みなされたものであり、その目的は、ＤカットレンズあるいはダブルＤカットレンズを用いた場合でもレンズの位置決めを正確に行う上で有利なレンズ鏡筒および撮像装置を提供することにある。
【課題を解決するための手段】
【０００４】
上述の目的を達成するため、本発明のレンズ鏡筒は、鏡筒に設けられ被写体像を撮像素子に導く光学系を有し、前記光学系を構成する少なくとも１つのレンズは、その側面が、互いに平行する平面が前記レンズの厚さ方向と直交する方向に延在する２つの第１側面部と、前記２つの第１側面部の延在方向の両端を接続する２つの第２側面部とを有し、前記１つのレンズを収容するレンズ収容室は、前記レンズの光軸方向に間隔をおいた２つの壁面で挟まれた前記鏡筒の壁部に貫通された孔部により構成され、前記孔部は、前記レンズの輪郭よりも大きな輪郭で前記２つの壁面のうちの一方の壁面に開口する第１開口部と、前記第１開口部に連なり前記孔部の軸心と直交する方向に平行して延在し前記２つの第１側面部に臨む２つの第１孔面と、前記第１開口部に連なり前記２つの第２側面部に臨む２つの第２孔面とを備え、前記２つの第１孔面のうちの少なくとも一方の前記第１孔面の延在方向の両端と前記第２孔面との境の箇所に、前記孔部の軸心から離れる方向で前記第１孔面および前記第２孔面の外側に広がり前記孔部に開放状の凹部が前記一方の壁面から前記他方の壁面に向かって延在形成されていることを特徴とする。
また、本発明のレンズ鏡筒は、鏡筒に設けられ被写体像を撮像素子に導く光学系を有し、前記光学系を構成する少なくとも１つのレンズは、その側面が、平面からなる第１側面部と、湾曲面からなり前記第１側面部の両端を接続する第２側面部とを有し、前記１つのレンズを収容するレンズ収容室は、前記レンズの光軸方向に間隔をおいた２つの壁面で挟まれた前記鏡筒の壁部に貫通された孔部により構成され、前記孔部は、前記レンズの輪郭よりも大きな輪郭で前記２つの壁面のうちの一方の壁面に開口する第１開口部と、前記第１開口部に連なり前記第１側面部に臨む第１孔面と、前記第１開口部に連なり前記第２側面部に臨む第２孔面とを備え、前記第１孔面の両端と前記第２孔面との境の箇所に、前記孔部の軸心から離れる方向で前記第１孔面および前記第２孔面の外側に広がり前記孔部に開放状の凹部が前記一方の壁面から前記他方の壁面に向かって延在形成されていることを特徴とする。
また、本発明のレンズ鏡筒は、鏡筒に設けられ被写体像を撮像素子に導く光学系を有し、前記光学系を構成する少なくとも１つのレンズはその側面に角部を有し、前記１つのレンズを収容するレンズ収容室は、前記レンズの光軸方向に間隔をおいた２つの壁面で挟まれた前記鏡筒の壁部に貫通された孔部により構成され、前記孔部は、前記レンズの輪郭よりも大きな輪郭で前記２つの壁面のうちの一方の壁面に開口する第１開口部と、前記第１開口部に連なり前記レンズの側面に臨む孔面とを備え、前記角部に対応する前記孔面箇所に、前記孔部の軸心から離れる方向で前記孔面の外側に広がり前記孔部に開放状の凹部が前記一方の壁面から前記他方の壁面に向かって延在形成されていることを特徴とする。
また、本発明は、鏡筒に設けられた撮像素子と、前記鏡筒の内部で被写体像を前記撮像素子に導く光学系とを有するレンズ鏡筒を備える撮像装置であって、前記光学系を構成する少なくとも１つのレンズは、その側面が、互いに平行する平面が前記レンズの厚さ方向と直交する方向に延在する２つの第１側面部と、前記２つの第１側面部の延在方向の両端を接続する２つの第２側面部とを有し、前記１つのレンズを収容するレンズ収容室は、前記レンズの光軸方向に間隔をおいた２つの壁面で挟まれた前記鏡筒の壁部に貫通された孔部により構成され、前記孔部は、前記レンズの輪郭よりも大きな輪郭で前記２つの壁面のうちの一方の壁面に開口する第１開口部と、前記第１開口部に連なり前記孔部の軸心と直交する方向に平行して延在し前記２つの第１側面部に臨む２つの第１孔面と、前記第１開口部に連なり前記２つの第２側面部に臨む２つの第２孔面とを備え、前記２つの第１孔面のうちの少なくとも一方の前記第１孔面の延在方向の両端と前記第２孔面との境の箇所に、前記孔部の軸心から離れる方向で前記第１孔面および前記第２孔面の外側に広がり前記孔部に開放状の凹部が前記一方の壁面から前記他方の壁面に向かって延在形成されていることを特徴とする。
また、本発明は、鏡筒に設けられた撮像素子と、前記鏡筒の内部で被写体像を前記撮像素子に導く光学系とを有するレンズ鏡筒を備える撮像装置であって、前記光学系を構成する少なくとも１つのレンズは、その側面が、平面からなる第１側面部と、湾曲面からなり前記第１側面部の両端を接続する第２側面部とを有し、前記１つのレンズを収容するレンズ収容室は、前記レンズの光軸方向に間隔をおいた２つの壁面で挟まれた前記鏡筒の壁部に貫通された孔部により構成され、前記孔部は、前記レンズの輪郭よりも大きな輪郭で前記２つの壁面のうちの一方の壁面に開口する第１開口部と、前記第１開口部に連なり前記第１側面部に臨む第１孔面と、前記第１開口部に連なり前記第２側面部に臨む第２孔面とを備え、前記第１孔面の両端と前記第２孔面との境の箇所に、前記孔部の軸心から離れる方向で前記第１孔面および前記第２孔面の外側に広がり前記孔部に開放状の凹部が前記一方の壁面から前記他方の壁面に向かって延在形成されていることを特徴とする。
また、本発明は、鏡筒に設けられた撮像素子と、前記鏡筒の内部で被写体像を前記撮像素子に導く光学系とを有するレンズ鏡筒を備える撮像装置であって、前記光学系を構成する少なくとも１つのレンズはその側面に角部を有し、前記１つのレンズを収容するレンズ収容室は、前記レンズの光軸方向に間隔をおいた２つの壁面で挟まれた前記鏡筒の壁部に貫通された孔部により構成され、前記孔部は、前記レンズの輪郭よりも大きな輪郭で前記２つの壁面のうちの一方の壁面に開口する第１開口部と、前記第１開口部に連なり前記レンズの側面に臨む孔面とを備え、前記角部に対応する前記孔面箇所に、前記孔部の軸心から離れる方向で前記孔面の外側に広がり前記孔部に開放状の凹部が前記一方の壁面から前記他方の壁面に向かって延在形成されていることを特徴とする。
【発明の効果】
【０００５】
本発明によれば、角部に対応する孔面の箇所に凹部が設けられているので、レンズの角部が孔部を構成する壁面に当接し壁面を欠くなどの不具合が防止される。
また、レンズの角部により孔部の壁面が欠けたとしても、その欠けた削りくずは凹部の近傍箇所であり凹部に収容されるため、当て付け部の上に削りくずが載ってしまうことが防止され、レンズの位置合わせを正確に行う上で有利となる。
【発明を実施するための最良の形態】
【０００６】
角部に対応する孔面の箇所に、孔面の外側に広がり孔部に開放状の凹部を一方の壁面から他方の壁面に向かって延在形成することによって上記目的を実現した。
【実施例１】
【０００７】
次に本発明の実施例１について図面を参照して説明する。
本実施例では、本発明のレンズ鏡筒が撮像装置に組み込まれている場合について説明する。
図６は撮像装置を前方から見た斜視図、図７は撮像装置の正面図、図８は撮像装置の背面図、図９は撮像装置の平面図、図１０は撮像装置の制御系を示すブロック図である。
なお、本明細書において左右は、撮像装置を前方から見た状態でいうものとし、また、被写体側を前方といい、撮像素子側を後方という。
【０００８】
図６〜図９に示すように、撮像装置１００は、前後の厚さが約１ｃｍ、上下の高さが約５ｃｍ、左右の幅が約８ｃｍの小型のデジタルスチルカメラであり、外装を構成するケース１０２を有している。
ケース１０２の右側部には、図中二点鎖線で示すように、本発明に係るレンズ鏡筒１０が組み込まれている。
レンズ鏡筒１０は、図１０に示すように、鏡筒１２と、鏡筒１２に収容された撮像素子１５０と、鏡筒１２に収容され被写体像を撮像素子１５０に導く光学系１０４などを備えている。
光学系１０４は対物レンズ１４を備え、対物レンズ１４はケース１０２前面に設けられたレンズ窓１０３を介してケース１０２前方に臨んで配置されている。
ケース１０２の前面上部中央箇所には、撮影補助光を出射するフラッシュ１０６、セルフタイマーランプ１０８などが設けられている。
ケース１０２の前面にはバリア１１０が上下にスライド可能に設けられ、このバリア１１０は、図６、図７に示すようにレンズ窓１０３、フラッシュ１０６、セルフタイマーランプ１０８を前方に露出させる下限位置と、これらレンズ窓１０３、フラッシュ１０６、セルフタイマーランプ１０８を覆う上限位置とにスライドされる。
ケース１０２の上端面には、撮像を行うためのシャッタボタン１１２、前記撮影光学系のズームを調整するためのズーム操作スイッチ１１４が設けられている。
ケース１０２の左側面の上部には、電源のオンオフを行う電源スイッチ（不図示）が設けられている。
ケース１０２の後面には、撮像した映像を表示するディスプレイ１２０が設けられ、ディスプレイ１２０の側方に、静止画撮影モード、動画撮影モード、再生モードの切り換えを行なうためのモード切り換えスイッチ１２２や、ディスプレイ１２０上にメニューを表示させるためのメニュースイッチ１２４、ディスプレイ１２０上に表示されるメニューを選択するなどの操作を行うためのコントロールスイッチ１２６が設けられている。
また、ケース１０２の後面でディスプレイ１２０の下方に、ディスプレイ１２０上の表示のオンオフを行うための表示スイッチ１２８、画像サイズ切り換えスイッチ１３０などが設けられている。
【０００９】
図１０に示すように、撮像素子１５０は、光学系１０４によって結像された被写体像を撮像するＣＣＤやＣＭＯＳセンサなどで構成されている。
撮像素子１５０で撮像された像は撮像信号として画像処理部１５２に出力され、画像処理部１５２ではこの撮像信号に対して処理がなされることで静止画あるいは動画の画像データが生成され、メモリカード（記憶媒体）１５４に記録される。また、前記画像データは表示処理部１５６によりディスプレイ１２０に表示される。
さらに、撮像装置１００は、シャッタボタン１１２、シャッタボタン１１２、ズーム操作スイッチ１１４、前記電源スイッチ、モード切り換えスイッチ１２２、メニュースイッチ１２４、コントロールスイッチ１２６、表示スイッチ１２８、画像サイズ切り換えスイッチ１３０などの操作スイッチの操作に応じて、画像処理部１５２、表示処理部１５６などを制御するＣＰＵなどを含む制御部１５８を備えている。
【００１０】
図１１はレンズ鏡筒１０を前方から見た斜視図、図１２はレンズ鏡筒１０を後方の下方から見た斜視図である。
図１３はレンズ鏡筒１０の正面図、図１４はレンズ鏡筒１０の背面図、図１５（Ａ）は図１３のＡ矢視図、（Ｂ）は図１３のＢ矢視図、図１６（Ｃ）は図１３のＣ矢視図、（Ｄ）は図１３のＤ矢視図である。
図１７は図１１のＡＡ線断面図、図１８は図１１のＢＢ線断面図である。
図１９はレンズ鏡筒１０の一部の構成を示す分解斜視図、図２０はレンズ鏡筒１０の残りの構成を示す分解斜視図である。
図２１はズーム用可動レンズ群１８、フォーカス用可動レンズ群２０の斜視図である。
【００１１】
図１１〜図２０に示すように、光学系１０４は、上述の対物レンズ１４の他に、反射部材としてのプリズム１６と、ズーム用可動レンズ群１８と、フォーカス用可動レンズ群２０と、第１の固定レンズ群２２と、第２の固定レンズ群２４と、第３の固定レンズ群２６と、ズーム用可動レンズ群１８用の案内機構２８と、フォーカス用可動レンズ群２０用の案内機構３０とを含んでいる。
さらに、光学系１０４には、ズーム用可動レンズ群１８を移動させる駆動手段３２と、フォーカス用可動レンズ群２０を移動させる駆動手段３４とが設けられている。
【００１２】
図１１、図１２に示すように、鏡筒１２は、厚さと、厚さよりも大きな寸法の幅と、幅よりも大きな寸法の長さとを有する扁平な矩形板状を呈し、撮像素子１５０と光学系１０４とは鏡筒１２の幅方向の中央からやや幅方向の一側寄りの部分で鏡筒１２の長さ方向に沿って並べられて配置されている。
鏡筒１２は、長さ方向において分割された第１鏡筒分割体１２０２および第２鏡筒分割体１２０４と、これら２つの鏡筒分割体１２０２，１２０４の間に挟まれる第３鏡筒分割体１２０６とで構成され、鏡筒１２の長手方向の一方の半部に第１鏡筒分割体１２０２が位置し、鏡筒１２の長手方向方の他方の半部に第２鏡筒分割体１２０４が位置し、これら第１鏡筒分割体１２０２および第２鏡筒分割体１２０４の間に第３鏡筒分割体１２０８が介在されている。
なお、本実施例では、図６、図７に示すように、レンズ鏡筒１０（鏡筒１２）の長さ方向が上下方向に向けて配置されることから、鏡筒１２の上部に第１鏡筒分割体１２０２が位置し、鏡筒１２の下部に第２鏡筒分割体１２０４が位置し、鏡筒１２の上下方向の中央部に第３鏡筒分割体１２０８が位置している。そして、撮像装置１００のケース１０２の前面に平行する鏡筒１２の厚さ方向の一方の面が鏡筒１２の前面となり、ケース１０２の後面に平行する他方の面が鏡筒１２の後面となり、鏡筒１２の幅方向の一方の面が左側面となり、他方の面が右側面となる。
したがって、鏡筒１２は、その幅方向、長さ方向、厚さ方向を、撮像装置１００のケース１０２の左右方向、上下方向、前後方向のそれぞれに合致させた状態でケース１０２内部に配置されることになる。
また、本実施例では、これら第１、第２、第３鏡筒分割体１２０２、１２０４、１２０６は合成樹脂材料によって形成されている。
【００１３】
図１７、図１８、図１９に示すように、第１鏡筒分割体１２０２は前壁、後壁、左壁、右壁により扁平な直方体状に形成され、第１鏡筒分割体１２０２の内部には、断面が矩形で下面に開放状の部品収容空間１２０２Ａが設けられており、対物レンズ１４はその前面側にレンズ押え１４０２が位置し後面側に遮光枠１４０４が位置した状態で、第１鏡筒分割体１２０２の前面の上部に取着されている。
プリズム１６は、対物レンズ１４で捉えた像を下部に向けて（撮像素子１５０側に）反射させるものである。プリズム１６は、部品収容空間１２０２Ａで対物レンズ１４の後方に臨む箇所に配置されている。
本実施例では、被写体像を撮像素子１５０に導く光学系１０４の光路が、対物レンズ１４から後方に延在しプリズム１６の反射面に至る第１の光路部分と、プリズム１６の反射面から下方に延在し撮像素子１５０に至る第２の光路部分とで構成され、図１７において符号Ｏ１は第１の光路部分の光軸を示し、符号Ｏ２は第２の光路部分の光軸を示している。
【００１４】
第１の固定レンズ群２２とズーム用可動レンズ群１８とは、部品収容空間１２０２Ａ内でプリズム１６の下方に配置されている。
第１の固定レンズ群２２は、図１９に示すように、第１鏡筒分割体１２０２の取付部に組み込まれる第１の固定レンズ２２０２を備え、この第１の固定レンズ２２０２に望ませて遮光枠２２０４が設けられている。
【００１５】
図１７、図１８、図１９に示すように、ズーム用可動レンズ群１８は、第１のズームレンズ１８０２と、互いに貼り合わされた第２、第３のズームレンズ１８０４、１８０５とで構成されている。
これら第１、第２、第３のズームレンズ１８０２、１８０４、１８０５はズーム用レンズ枠１８０６により支持されている。
ズーム用レンズ枠１８０６は、駆動手段３２によりメインガイド軸３８およびサブガイド軸４０に案内されつつそれらの光軸方向に沿って往復移動され、ズーム動作がなされる。
図２１に示すように、ズーム用レンズ枠１８０６は、第１、第２、第３のズームレンズ１８０２、１８０４、１８０５の周囲に位置しこれら第１、第２、第３のズームレンズ１８０２、１８０４、１８０５を保持する保持部１８１０と、この保持部１８１０から部品収容空間１２０２Ａ内の幅方向に延在する延在部１８１２とを有している。
延在部１８１２には、図２６、図１９に示すように、鏡筒１２の長手方向において互いに対向するフランジ１８１６、１８１６が設けられ、これらフランジ１８１６、１８１６には、同軸上にそれぞれ孔が設けられている。そして、それら孔に軸３６０２、３６０２が回転可能に挿入されることで、それらフランジ１８１６，１８１６の間に雌ねじ部材３６が鏡筒１２の長手方向に移動不能にかつ軸３６０２を支点に揺動可能に結合されている。この雌ねじ部材３６はスプリング３６０１により互いに閉じる方向に付勢された一対のアームを有し、それらアームの向かい合う面にそれぞれ雌ねじ３６０４が設けられている。
【００１６】
また、図２１に示すように、延在部１８１２には、ロッド挿通孔１８１４が設けられている。
ロッド挿通孔１８１４には、第１鏡筒分割体１２０２の長さ方向に延在する金属製のメインガイド軸３８が滑動可能に挿通されている。このメインガイド軸３８はその長さ方向の両端が第１鏡筒分割体１２０２の上面を構成する壁部と、第３鏡筒分割体１２０６の壁部とで支持されている。メインガイド軸３８は第１、第２、第３のズームレンズ１８０２、１８０４、１８０５の光軸と平行に直線状に延在しており、本実施例では第１鏡筒分割体１２０２の長さ方向に延在している。したがって、メインガイド軸３８はズーム用可動レンズ群１８を該ズーム用可動レンズ群１８の光軸方向に案内している。
また、図２１に示すように、延在部１８１２とは反対側に位置する保持部１８１０の箇所で部品収容空間１２０２Ａの隅部に位置する箇所に係合溝１８１８が形成されている。
係合溝１８１８には、第１鏡筒分割体１２０２の長さ方向に延在するサブガイド軸４０（図１９）が滑動可能に挿通されている。したがって、サブガイド軸４０はズーム用レンズ１８がメインガイド軸３８の回りに回転することを阻止している。サブガイド軸４０は第１、第２、第３のズームレンズ１８０２、１８０４、１８０５の光軸と平行に直線状に延在しており、本実施例では第１鏡筒分割体１２０２の長さ方向に延在している。
ズーム用可動レンズ群１８用の案内機構２８は、これらメインガイド軸３８とサブガイド軸４０によって構成されている。
【００１７】
図１９、図２１に示すように、ズーム用可動レンズ群１８を移動させる駆動手段３２は、鏡筒１２の長さ方向に延在するホルダ３２０２と、ホルダ３２０２の上部に設けられたモータ３２０４と、ホルダ３２０２に沿って延在しモータ３２０４により回転駆動される雄ねじ部材３２０６とを有している。
ホルダ３２０２は第１鏡筒分割体１２０２の右側面の欠部に取着され、これにより雄ねじ部材３２０６が部品収容空間１２０２Ａに位置し、モータ３２０４は第１鏡筒分割体１２０２の上面に位置する。
雄ねじ部材３２０６は雌ねじ部材３６の雌ねじ３６０４に螺合され、したがってモータ３２０４の正逆転によりズーム用可動レンズ群１８はメインガイド軸３８およびサブガイド軸４０に案内されつつそれらの光軸方向に沿って往復移動され、ズーム動作がなされる。
本実施例では、ズーム用可動レンズ群１８とメインガイド軸３８と雄ねじ部材３２０６とが第１鏡筒分割体１２０２の内部で第１鏡筒分割体１２０２の幅方向に並べられて配置され、サブガイド軸４０はメインガイド軸３８および雄ねじ部材３２０６とは反対側に位置するズーム用レンズ枠１８０６箇所に配置されることになる。
【００１８】
図１７、図１８、図１９に示すように、第３鏡筒分割体１２０６は、部品収容空間１２０２Ａ内に臨む内部部分１２０６Ａと、部品収容空間１２０２Ａの外側に臨む外部部分１２０６Ｂとを有している。
図１９に示すように、第２の固定レンズ群２４は、その光軸をズーム用可動レンズ群１８の光軸と一致させて内部部分１２０６Ａに取着され、第２固定レンズ２４の後面にアイリス（絞り）４２が配置されている。
このアイリス４２は、光学系１０４の光軸を前記幅方向で挟んで配置された２枚の絞り羽根４２０２と、各絞り羽根４２０２を前記幅方向に移動可能に案内する案内部材４２０４とを備えている。
アイリス４２は、第３鏡筒分割体１２０６の外部部分１２０６Ｂに取着された駆動部４４により２枚の絞り羽根４２０２が接離する方向に移動されることで、２枚の絞り羽根４２０２が開閉されこれにより前記光軸に沿って進行する光束の光量を調節するように構成されている。
【００１９】
図２０に示すように、第２鏡筒分割体１２０４は、前壁１２０５Ａ、後壁１２０５Ｂ、左壁１２０５Ｃ、右壁１２０５Ｄにより直方体状に形成され、第２鏡筒分割体１２０４の内部には、断面が矩形で上下に開放された部品収容空間１２０４Ａが形成されている。
第２鏡筒分割体１２０４の下部に撮像素子取付板４６が取着され、撮像素子取付板４６が取着されることで部品収容空間１２０４Ａの下端は閉塞されている。したがって、本実施例では、第２鏡筒分割体１２０４は撮像素子取付板４６を含んで構成されている。
フォーカス用可動レンズ群２０と第３の固定レンズ群２６は、部品収容空間１２０４Ａ内に配置されている。
【００２０】
図２０に示すように、フォーカス用可動レンズ群２０は、互いに貼り合わされた第１、第２のフォーカスレンズ２００２、２００４で構成されている。
これら第１、第２のフォーカスレンズ２００２、２００４は、フォーカス用レンズ枠２００６により支持されている。
フォーカス用レンズ枠２００６は、駆動手段３４によりメインガイド軸５０およびサブガイド軸５２に案内されつつそれらの光軸方向に沿って往復移動され、フォーカス動作がなされる。
図２１に示すように、フォーカス用レンズ枠２００６は、第１、第２のフォーカスレンズ２００２、２００４の周囲に位置しこれら第１、第２のフォーカスレンズ２００２、２００４を保持する保持部２０１０と、この保持部２０１０から部品収容空間１２０４Ａ内の幅方向に延在する延在部２０１２とを有している。
延在部２０１２には、図２０に示すように、鏡筒１２の長手方向において互いに対向するフランジ２０１６、２０１６が設けられ、これらフランジ２０１６、２０１６には、同軸上にそれぞれ孔が設けられている。そして、それら孔に軸４８０２，４８０２が回転可能に挿入されることで、それらフランジ２０１６、２０１６の間に雌ねじ部材４８が鏡筒１２の長手方向に移動不能にかつ軸４８０２を支点に揺動可能に結合されている。この雌ねじ部材４８はスプリング４８０１により互いに閉じる方向に付勢された一対のアームを有し、それらアームの向かい合う面にそれぞれ雌ねじ４８０４が設けられている。
【００２１】
また、図２０に示すように、延在部２０１２には、ロッド挿通孔２０１４が設けられている。
図２０、図２１に示すように、ロッド挿通孔２０１４には、金属製のメインガイド軸５０が滑動可能に挿通されている。このメインガイド軸５０はその長さ方向の両端が第３鏡筒分割体１２０６の壁部と、第２鏡筒分割体１２０４の下部に設けられた壁部とで支持されている。メインガイド軸５０は第１、第２のフォーカスレンズ２００２、２００４の光軸と平行して直線状に延在しており、本実施例では第２鏡筒分割体１２０４の長さ方向に延在している。したがって、メインガイド軸５０はフォーカス用可動レンズ群２０を該フォーカス用可動レンズ２８の光軸方向に案内している。
また、図２１に示すように、延在部２０１２とは反対側に位置する保持部２０１０に係合溝２０１８が形成されている。
係合溝２０１８には、サブガイド軸５２（図２０）が滑動可能に挿通されている。したがって、サブガイド軸５２はフォーカス用レンズ２０がメインガイド軸５０の回りに回転することを阻止している。サブガイド軸５２は第２鏡筒分割体１２０４と一体に形成されており、したがって、合成樹脂製である。サブガイド軸５２は第１、第２のフォーカスレンズ２００２、２００４の光軸と平行に直線状に延在しており、本実施例では第２鏡筒分割体１２０４の長さ方向に延在している。
フォーカス用可動レンズ群２０用の案内機構３０は、これらメインガイド軸５０とサブガイド軸４０によって構成されている。
【００２２】
図２０、図２１に示すように、フォーカス用可動レンズ群２０を移動させる駆動手段３４は、鏡筒１２の長さ方向に延在するホルダ３４０２と、ホルダ３４０２の下部に設けられたモータ３４０４と、ホルダ３４０２に沿って延在しモータ３４０４により回転駆動される雄ねじ部材３４０６とを有している。
ホルダ３４０２は第２鏡筒分割体１２０４の右側面の欠部に取着され、これにより雄ねじ部材３４０６が部品収容空間１２０４Ａに位置し、モータ３４０４は第２鏡筒分割体１２０４の下部に位置する。
雄ねじ部材３４０６は雌ねじ部材４８の雌ねじ４８０４に螺合され、したがってモータ３４０４の正逆転によりフォーカス用可動レンズ群２０はメインガイド軸５０およびサブガイド軸５２に案内されつつそれらの光軸方向に沿って往復移動され、フォーカス動作がなされる。
したがって、本実施例では、フォーカス用可動レンズ群２０とメインガイド軸５０と雄ねじ部材３４０４とが第２鏡筒分割体１２０４の内部で第２鏡筒分割体１２０４の幅方向に並べられて配置され、サブガイド軸５２はメインガイド軸５０および雄ねじ部材３０６とは反対側に位置するフォーカス用レンズ枠２００６箇所に配置されることになる。
【００２３】
図２０に示すように、撮像素子取付板４６は、部品収容空間１２０４Ａの下端を閉塞するように第２鏡筒分割体１２０４の下部にねじ２０６、２０６によって取着されている。
撮像素子１５０は、撮像素子取付板４６が部品収容空間１２０４Ａに臨む内面に配置されている。
本実施例では撮像素子取付板４６に矩形の窓４６０２が設けられ、この窓４６０２に撮像素子１５０が嵌め込まれて配置され、撮像素子取付板４６の内面で撮像素子１５０の上面にシールガラス４６０４、シールゴム４６０６およびローパスフィルタ４６０８が配置され、押さえ板４６１０によって固定されている。
【００２４】
なお、図１７に示すように、部品収容空間１２０４Ａに臨む第２鏡筒分割体１２０４の前面箇所および後面箇所で第２鏡筒分割体１２０４Ａの上端と第３の固定レンズ群２６との間の箇所には凹凸部１２０４Ｃが設けられている。
また、部品収容空間１２０４Ａに臨む第２鏡筒分割体１２０４の前面箇所および後面箇所で第３の固定レンズ群２６と撮像素子１５０との間の箇所には凹凸部１２０４Ｄが設けられている。
これらの凹凸部１２０４Ｃ、１２０４Ｄは、対物レンズ１４、プリズム１６、第１の固定レンズ群２２、ズーム用可動レンズ群１８、第２固定レンズ２４、フォーカス用可動レンズ群２０を介して進入してきた光のうち、部品収容空間１２０４Ａに臨む第２鏡筒分割体１２０４の前面箇所および後面箇所に到達した光が該後面箇所で反射されることで、いわゆるフレアあるいはゴーストと呼ばれる反射光が発生し、この反射光が撮像素子１５０の受光面に到達して撮像素子１５０の撮像信号に対して悪影響を及ぼすことを防止するために設けられている。
なお、撮像素子１５０から遠い箇所に設けられた凹凸部１２０４Ｃの凹凸の間隔に対して撮像素子１５０から近い箇所に設けられた凹凸部１２０４Ｄの凹凸の間隔が大きく形成されている。これは、凹凸部１２０４Ｃに当たる前記光の角度に対して凹凸部１２０４Ｄに当たる前記光の角度がより小さいためであり、このように凹凸部１２０４Ｃ、１２０４Ｄの凹凸の間隔を変えることで、第２鏡筒分割体１２０４の成形時に金型からの取り外し性が向上される利点がある。
【００２５】
図１７に示すように、第３の固定レンズ群２６は、撮像素子１５０の上方でフォーカス用可動レンズ群２０の下方の部品収容空間１２０４Ａ箇所に配置されている。
なお、図２０に示すように、第１鏡筒分割体１２０２と第２鏡筒分割体１２０４と第３鏡筒分割体１２０６とは、前記駆動部４４近傍の箇所でねじ２０２により互いに取着され、かつ、前記駆動部３４近傍の箇所でねじ２０４により互いに取着されている。
【００２６】
次に、ズーム用可動レンズ群１８の光軸を、プリズム１６の反射面から撮像素子１５０に至る第２の光路部分の光軸Ｏ２に合致させる調整機構について説明する。
図２２は軸受け部材を上方から見た斜視図、図２３は軸受け部材を下方から見た斜視図である。
図２４（Ａ）は軸受け部材の平面図、（Ｂ）は（Ａ）のＢＢ線断面図、（Ｃ）は（Ｂ）のＣ矢視図である。
図２５（Ａ）〜（Ｄ）は軸受け部材の説明図で、上側の図が断面図を示し、下側の図が底面図である。
図２６はレンズ鏡筒の一部を破断した斜視図である。
図２７は孔部の斜視図、図２８は軸受け部材が孔部に収容された状態を示す斜視図、図２９は軸受け部材が孔部に収容された状態を示す断面図である。
図３０、図３１はメインガイド軸３８の傾きの調整操作の説明図である。
【００２７】
上述のように、ズーム用可動レンズ群１８はズーム用レンズ枠１８０６で保持され、ズーム用レンズ枠１８０６はメインガイド軸３８に沿って直線移動可能に案内され、また、ズーム用レンズ枠１８０６はサブガイド軸４０によってメインガイド軸３８回りの回転が阻止されている。
また、メインガイド軸３８はその長さ方向の両端が第１鏡筒分割体１２０２の上面を構成する壁部と、第３鏡筒分割体１２０６の壁部とで支持されている。
一方、ズーム用レンズ枠１８０６には許容範囲内での加工誤差があり、ズーム用レンズ枠１８０６とズーム用可動レンズ群１８との組み立てにも許容範囲内での組み立て誤差がある。
そのため、ズーム用可動レンズ群１８の光軸が第２の光路部分の光軸Ｏ２に対して許容値を越えて傾斜してしまう場合がある。
また、第１鏡筒分割体１２０２や第３鏡筒分割体１２０６にも許容範囲内での加工誤差があり、また、レンズ鏡筒１０には許容範囲内での組み立て誤差がある。
そのため、メインガイド軸３８が第２の光路部分の光軸Ｏ２に対して傾斜し、これによりズーム用可動レンズ群１８の光軸が第２の光路部分の光軸Ｏ２に対して許容値を越えて傾斜してしまう場合もある。
このようにズーム用可動レンズ群１８の光軸が第２の光路部分の光軸Ｏ２に対して許容値を越えて傾斜すると、撮像素子１５０の撮像面に結像される被写体像において部分的に生じる焦点ぼけ、いわゆる片ボケの原因となる。
したがって、ズーム用可動レンズ群１８の光軸を第２の光路部分の光軸Ｏ２に合致させる調整作業が必要となる。
【００２８】
ズーム用可動レンズ群１８の光軸を第２の光路部分の光軸Ｏ２に合致させる調整は、メインガイド軸３８の長さ方向の一方の端部（上端）において上述のメインガイド軸３８の傾きを調整することによってなされる。
すなわち、図１８に示すように、メインガイド軸３８の上端は、第１鏡筒分割体１２０２の壁部に取着された軸受け部材５４により支持されている。
図２２乃至図２４に示すように、軸受け部材５４は、第１鏡筒分割体１２０２の外側から第１鏡筒分割体１２０２の壁部の孔部１２５０（図２７乃至図２９、図１８参照）に装脱可能に装着される軸部５４０２と、軸部５４０２に設けられメインガイド軸３８の上端が挿入される軸受け孔５４０４と、孔部１２５０の断面よりも大きな輪郭を有し第１鏡筒分割体１２０２の壁部の外面に当接されるつば部５４０６と、つば部５４０６の上面につば部５４０６と同軸上に突設された断面が多角形の多角形部５４０８と、多角形部５４０８の上面に突設された上端部５４１０とを有している。
【００２９】
軸部５４０２は、円柱状に形成されその外周面の下部に下端に至るに従って半径が次第に小さくなるようにテーパー面５４０３が形成されている。
軸受け孔５４０４は軸部５４０２の中心軸に平行に形成されており、軸受け孔５４０４の中心軸線が軸部５４０２の中心軸線に対して偏心するように設けられている。
図２３に示すように、本実施例では、軸受け孔５４０４は、互いに９０度をなす平面視略正方形をなす４つの平坦面で構成されている。したがって、軸受け孔５４０４にメインガイド軸３８の上端を挿入すると、メインガイド軸３８の外周面に対して理論的には前記４つの平坦面が線接触することになり、軸受け孔５４０４とメインガイド軸３８の上端が高い精度で同軸上に配設されることになる。
上端部５４１０は、平面視した場合に細長形状に形成されており、先端面にマイナスドライバなどの工具挿入用の溝５４１２（特許請求の範囲の工具の係合溝）が形成され、また、周面に軸受け部材５４の回転角度を視認するための凹凸からなる指標部５４１４が形成されている。
さらに、溝５４１２の内側には、図２４（Ａ）、（Ｂ）に示すように、軸受け孔５４０４に貫通させてピン挿通孔５４１６が形成されている。
【００３０】
次に、軸受け部材５４が配設される第１鏡筒分割体１２０２の壁部の孔部１２５０およびその周辺について説明する。
図２７、図２９に示すように、軸部５４０２が挿入される孔部１２５０は、軸部５４０２の外径よりも大きい寸法の内径で形成された内周面１２５２と、内周面１２５２の周方向に等間隔をおいて形成され軸部５４０２の外周面に係合可能な複数の平坦面１２５４で構成され、複数の平坦面１２５４が軸部５４０２の外周面に係合することで、孔部１２５０の中心軸と軸部５４０２の中心軸とが高い精度で合致するように図られている。
前記内周面１２５２の上端には、つば部５４０６が載置される環状の載置面１２５６が形成されている。
また、載置面１２５６の外周に沿って凹溝１２５７が形成され、この凹溝１２５７は後述するように接着剤充填用凹部１２５８に充填された接着剤の余剰分を切り欠き１２８０へ導いて逃がすためのものである。
載置面１２５６の半径方向外方箇所には、すなわち、凹溝１２５７の外周部には載置面１２５６の周方向に間隔をおいて接着剤充填用凹部１２５８が形成されている。
孔部１２５０および載置面１２５６並びに凹溝１２５７の上方には小径孔部１２７０が形成され、小径孔部１２７０の上部に傾斜孔部１２７２が形成されている。本実施例では、小径孔部１２７０と傾斜孔部１２７２により特許請求の範囲の凹部が構成されている。
小径孔部１２７０は、載置面１２５６の外周から起立する円筒面１２７４を有し、円筒面１２７４には周方向に間隔をおいて前記接着剤充填用凹部１２５８が設けられている。
傾斜孔部１２７２は、周方向に等間隔をおいて設けられ小径孔部１２７０に近づくにつれて小径孔部１２７０の軸心に近づく傾斜面１２７６と、それら傾斜面１２７６の間に設けられた湾曲面１２７８とで構成されている。
傾斜孔部１２７２には、切り欠き１２８０が設けられ、凹溝１２５７はこの切り欠き１２８０に接続されている。
なお、図２９に示すように、メインガイド軸３８の上端は、第１鏡筒分割体１２０２の大径孔１２６４を通って軸受け部材５４の軸受け孔５４０４に挿入される。
また、メインガイド軸３８の下端は、従来公知の構造により例えば第３鏡筒分割体１２０４の壁部の孔１２９０（図１８）に挿入されることで取着されている。
【００３１】
ズーム用可動レンズ群１８の光軸調整は、次のように行われる。
まず、図２５（Ａ）に示すように、軸受け部材５４として、軸受け孔５４０４の中心軸線が軸部５４０２の中心軸線と合致した基準の軸受け部材５４と、図２５（Ｂ）乃至（Ｄ）に示すように、軸受け孔５４０４の中心軸線が軸部５４０２の中心軸線に対して偏心している軸受け部材５４を用意する。この場合、軸受け孔５４０４の中心軸線と軸部５４０２の中心軸線との偏心量Ｅが互いに異なる複数種類の軸受け部材５４を用意する。
【００３２】
次に、図３０に示すように、基準の軸受け部材５４を用いてレンズ鏡筒１０を組み立てる。
この際、光学系１０４のうち、ズーム用可動レンズ群１８を除く残りの対物レンズ１４、フォーカス用可動レンズ群２０、第１の固定レンズ群２２、第２の固定レンズ群２４、第３の固定レンズ群２６については光軸調整が行われる。
そして、対物レンズ１４の前方に従来公知の調整用のチャートを配置してこのチャートの画像を光学系１４によって撮像素子１５０の撮像面上に結像させ、撮像素子１５０から出力される撮像信号に基づいて前記チャートの画像を解析し、撮像素子１５０に結像されたチャートの画像の片ボケを測定する。このような片ボケを測定する評価値としては、ＭＴＦデフォーカスカーブを用いる他、従来公知のさまざまな評価値を採用することができる。
このような評価値に基づいて、第２の光路部分の光軸Ｏ２に対するズーム可動レンズ群１８の傾斜角度ｅを算出する。
第２の光路部分の光軸Ｏ２とズーム可動レンズ群１８の光軸とを合致させるためには、傾斜角度ｅと反対の向きに同じ角度だけメインガイド軸３８を傾斜させればよいことになる。
したがって、傾斜角度ｅを打ち消すために必要な軸受け部材５４の偏心量も傾斜角度ｅに対応して決定される。
【００３３】
次に、上記の偏心量に対応した偏心量Ｅを有する軸受け部材５４を選択する。
そして、ピン挿通孔５４１６からピンを挿入してメインガイド軸３０の上端を基準の軸受け部材５４の軸受け孔５４０４から外しつつ基準の軸受け部材５４の軸部５４０２を第１鏡筒分割体１２０２の壁部の孔部１２５０から取り外し、図３１示すように、偏心量Ｅを有する軸受け部材５４の軸部５４０２を孔部１２５０に挿入する。
続いて、軸受け部材５４の溝５４１２にマイナスドライバーなどの工具を挿入して軸受け部材５４を回転させ、前述した評価値によって示される片ボケが解消されるように指標部５４１４を視認しつつメインガイド軸３０の傾斜を調整する。これにより、第２の光路部分の光軸Ｏ２とズーム可動レンズ群１８とが合致される。
なお、本実施例のように、光学系１０４がズーム可動レンズ群１８を光軸方向に移動させることでズーム動作を行うものでは、ズーム可動レンズ群１８がテレ端（望遠端）に位置した状態では、第２の光路部分の光軸Ｏ２に対するズーム可動レンズ群１８の傾きが片ボケに与える影響が極めて大きい反面、ズーム可動レンズ群１８がワイド端（広角端）に位置した状態では、第２の光路部分の光軸Ｏ２に対するズーム可動レンズ群１８の傾きが片ボケに与える影響はほとんど無視できることになる。
したがって、本実施例では、この光学特性を利用して、ズーム可動レンズ群１８がテレ端（望遠端）に位置した状態での光学性能を基準にして上述した調整作業を行う。
したがって、上述した調整作業は、ズーム可動レンズ群１８がテレ端（望遠端）に位置した状態で行う。
また、図３１に示すように、軸受け部材５４によってメインガイド軸３８の傾斜を調整することによって、テレ端において第２の光路部分の光軸Ｏ２とズーム可動レンズ群１８とを一致させることができるが、ワイド端においては第２の光路部分の光軸Ｏ２に対してズーム可動レンズ群１８の光軸がずれてしまう場合もある。しかしながら、ズーム可動レンズ群１８がワイド端に位置した状態では、このような第２の光路部分の光軸Ｏ２に対するズーム可動レンズ群１８の光軸のずれが片ボケに与える影響はほとんど無視できる。
なお、第２の光路部分の光軸Ｏ２に対するズーム可動レンズ群１８の傾斜角度ｅが許容値以下の場合、偏心量Ｅを有する軸受け部材５４を選択することなく、基準の軸受け部材５４がそのまま紫外線硬化型接着剤により接着される。
【００３４】
上述のように調整作業が終了したならば、図２８に示すように、つば部５４０６、多角形部５４０８、上端部５４１０の外側で小径孔部１２７０および傾斜孔部１２７２の内側に紫外線硬化型接着剤を充填し、紫外線を照射して硬化させ、これにより組み立てが完了する。
この場合、軸受け部材５４は多角形部５４０８を有しているので、多角形部５４０８が紫外線硬化型接着剤中に埋設されることで、軸受け部材５４の孔部１２５０の中心軸回りの回転が効果的に阻止される。
【００３５】
このような構成にすると、メインガイド軸３８の上端を支持する軸受け部材５４は、第１鏡筒分割体１２０２の外側から孔部１２５０に装脱可能に挿入される軸部５４０２と、軸部５４０２の中心軸線に対して偏心した中心軸線を有する軸受け孔５４０４とを有し、メインガイド軸３８の上端は上記の軸受け孔５４０４で支持されるので、実施例のように軸受け孔５４０４の中心軸線と軸部５４０２の中心軸線との偏心量Ｅが異なる複数種類の軸受け部材５４を用意することで、ズーム用可動レンズ群１８の光軸調整を簡単にしかも確実に行うことが可能となる。
また、偏心量Ｅの異なる軸受け部材５４を選択し第１鏡筒分割体１２０２の外側から組み付けることでズーム用可動レンズ群１８の光軸調整がなされるので、従来のような複雑な機構を省略でき、また、大きなスペースを要せず、したがって、レンズ鏡筒の部品点数の削減、コストダウン、小型化を図る上で有利となる。
【００３６】
次にプリズムの取り付け構造の第１の例について説明する。
図３２はプリズム収容室の斜視図である。
図３３はプリズム収容室の説明図で、中央の図が断面図であり、左側の図が正面図を示し、右上側の図が斜め後方から見た図であり、下側の図が底面図である。
図３４はプリズム収容室の断面図、図３５は図３４のＡ矢視図、図３６は図３４のＢＢ線断面図である。
【００３７】
図１７に示すように、プリズム１６は、対物レンズ１４で捉えた像を撮像素子１５０側に反射させるものであり、第１鏡筒分割体１２０２の部品収容空間１２０２Ａで対物レンズ１４の後方に臨む箇所に配置されている。
プリズム１６は、空気との境界面において全反射を生じさせる所定の絶対屈折率を有するガラスあるいは合成樹脂などからなる光学材料で構成され、３つの側面と２つの端面１６０８、１６０８を有する三角柱状を呈している。
前記３つの側面のうちの1つの側面は、対物レンズ１４に臨む入射面１６０２として用いられる。
前記３つの側面のうちの1つの側面は、対物レンズ１４によって導かれた被写体像を撮像素子１５０に向けて全反射する反射面１６０４として用いられる。
前記３つの側面のうち、残りの１つの側面は、反射面１６０４で反射された被写体像を撮像素子１５０に向けて出射される出射面１６０６として用いられる。
ここで、図３３に示すように、対物レンズ１４から反射面１６０４に至る第１の光路の光軸Ｏ１と、反射面１６０４により被写体像が撮像素子１５０側に向けて反射される第２の光路の光軸Ｏ２との双方の光軸を含む面を第１の面Ｐ１とすると、反射面１６０４、出射面１６０６を構成するプリズム１６外面は互いに対向する２組の辺を有する矩形を呈し、２組の辺のうちの一方の１組の辺が第１の面Ｐ１と平行する面上を延在するように配置されている。
【００３８】
図３２、図１７に示すように、部品収容空間１２０２Ａにはプリズム１６が取着されるプリズム収容室５６が設けられている。
プリズム収容室５６には、第１の壁面５６０２と、第２の壁面５６０４と、２つの第３の壁面５６０６と、反射面１６０４の外側のプリズム外面１６０４Ａに当接可能な３つの第１位置決め用突起５８と、出射面１６０６の外側のプリズム外面１６０６Ａに当接可能な２つの第２突起６０と、少なくとも一方の端面１６０８に当接可能な複数の第３突起６２とが設けられている。
第１の壁面５６０２は、第１鏡筒分割体１２０２Ａの壁部によって構成されており、反射面１６０４の外側のプリズム外面１６０４Ａに臨むように設けられている。
第２の壁面５６０４は、第１鏡筒分割体１２０２Ａの壁部によって構成され、プリズム外面１６０６Ａに臨むように設けられ、第２の壁面５６０４には出射用開口５６０８が形成されている。
第３の壁面５６０６は、第１鏡筒分割体１２０２Ａの壁部によって構成されており、２つの端面１６０８，１６０８に臨むように設けられている。
第３の壁面５６０６には、図３２に示すように、該第３の壁面を構成する第１鏡筒分割体１２０２の壁部の外側から第３の壁面５６０６に対して接着剤を充填するための孔５６０７が設けられている。
【００３９】
図３３に示すように、プリズム１６は、対物レンズ１４から反射面１６０４に至る第１の光路の光軸Ｏ１と、反射面１６０４により被写体像が撮像素子１５０側に向けて反射される第２の光路の光軸Ｏ２との双方の光軸を含む第１の面Ｐ１に対して直交する方向に偏位して配置されている。
より詳細には、プリズム１６は、対物レンズ１４から反射面１６０４に至る第１の光路の光軸Ｏ１と、反射面１６０４により被写体が撮像素子１５０側に向けて反射される第２の光路の光軸Ｏ２との双方の光軸を含む第１の面Ｐ１に対して直交する方向に延在する長さを有している。そして、プリズム１６の長さ方向の中心が、対物レンズ１４から反射面１６０４に至る第１の光路の光軸Ｏ１と、反射面１６０４により被写体が撮像素子１５０側に向けて反射される第２の光路の光軸Ｏ２との双方の光軸を含む第１の面Ｐ１に対して直交する方向に偏位して配置されている。
図３３、図３４、図３５に示すように、３つの第１位置決め用突起５８のうちの２つの突起５８は、偏位された側のプリズム外面１６０４Ａの外縁部で第１の光路の延在方向に沿った両端箇所に当接するように配置されている。
３つの第１位置決め用突起５８のうちの残りの１つの突起５８は、偏位された側とは反対の側のプリズム外面１６０４Ａの外縁部で第１の光路の延在方向に沿った中間箇所に当接するように配置されており、本実施例では、前記残りの１つの突起５８はプリズム外面１６０４Ａの外縁部の延在方向の中心よりも出射面１６０６寄り（後方寄り）の箇所に当接するように配置されている。
【００４０】
図３３、図３４、図３６に示すように、２つの第２位置決め用突起６０は、第２の壁面５６０６に設けられている。
２つの第２位置決め用突起６０のうちの一方の突起６０Ａは、偏位された側の出射面１６０６の外縁部で第１の光路の延在方向に沿った端部箇所に当接するように配置されている。
２つの第２位置決め用突起６０のうちの他方の突起６０Ｂは、偏位された側とは反対の側の出射面１６０６の外縁部で第１の光路の延在方向に沿った中間箇所に当接するように配置されている。
本例では、２つの第２位置決め用突起６０のうちの一方の突起６０Ａは、プリズム１６が偏位された側の第２の壁面５６０６の外縁部で第１の光路の延在方向に沿った外縁部の両端のうちの一方の端部から第１の光路の延在方向に沿って延在しその先部が、偏位された側の出射面１６０６の外縁部で一方の端部に対応する端部箇所に当接する突条として設けられている。
また、２つの第２位置決め用突起６０のうちの他方の突起６０Ｂは、プリズム１６が偏位された側とは反対側の第２の壁面５６０６の外縁部で第１の光路の延在方向に沿った外縁部の両端のうちの一方の端部から第１の光路の延在方向に沿って延在しその先部が、偏位された側とは反対の側の出射面１６０６の外縁部で第１の光路の延在方向に沿った中間箇所に当接する突条として設けられている。
なお、一方の突起６０Ａよりも他方の突起６０Ｂの方が大きい寸法の長さで延在形成されている。
また、図３３、図３５において、符号Ａ１、Ａ２，Ａ３はプリズム１６を通過する被写体像の有効画角の範囲を示し、第１、第２位置決め用突起５８，６０は、全反射を利用する関係上、従来と同様に有効画角の範囲Ａ２、Ａ３の外側に配置されることは無論である。
【００４１】
プリズム１６のプリズム収容室５６に対する取り付けは次のようになされる。
プリズム１６の反射面１６０４をプリズム収容室５６の第１の壁面５６０２に臨ませるとともに、出射面１６０６を第２の壁面５６０４に臨ませ、かつ、各端面１６０８を各第３の壁面５６０６に臨ませた状態で、プリズム１６をプリズム収容室５６内に挿入する。
そして、プリズム１６の反射面１６０４を３つの第１位置決め用突起５８に当て付けるとともに、出射面１６０６を２つの第２位置決め用突起６０に当て付け、さらに、２つの端面１６０８のうちの一方あるいは双方の端面１６０８をそれに臨む第３の突起６２に当て付けて位置決めを行う。
この位置決めがなされた状態で、各第３の壁面５６０６の孔５６０７から第３の壁面５６０６と各端面１６０８の間に紫外線硬化型接着剤を充填し、充填された紫外線硬化型接着剤に紫外線を照射することで硬化させる。これにより２つの端面１６０８がそれぞれ第３の壁面５６０６に接着剤で接着され、プリズム１６がプリズム収容室５６に取着される。
【００４２】
このような構成では、プリズム１６を第１の面Ｐ１に対して直交する方向に偏位して配置し、３つの第１位置決め用突起５８のうちの２つの突起５８を、偏位された側のプリズム外面１６０４Ａの外縁部で第１の光路の延在方向に沿った両端箇所に配置し、３つの第１位置決め用突起５８のうちの残りの１つの突起５８を、偏位された側とは反対の側のプリズム外面１６０４Ａの外縁部で第１の光路の延在方向に沿った中間箇所に配置したので、プリズム外面１６０４Ａにおいてプリズム１６を安定した状態で位置決めできることは無論のこと、図３３に示すように、３つの第１位置決め用突起５８を含むプリズム収容室５６の前後方向の寸法を短縮でき、撮像装置の前後方向の厚さをコンパクト化することが可能となる。
【００４３】
次にプリズムの取り付け構造の第２の例について説明する。
第２の例が第１の例のプリズムの取り付け構造と異なるのは、第１位置決め用突起５８と第２位置決め用突起６０の配置位置である。
図３７は第２の例におけるプリズム収容室の説明図で、中央の図が断面図であり、左側の図が正面図を示し、右上側の図が斜め後方から見た図であり、下側の図が底面図である。なお、以下では、第１の例と同様な箇所、部材に同一の符号を付して説明する。
図３７に示すように、第１の例の場合と同様に、３つの第１位置決め用突起５８のうちの残りの１つの突起５８は、偏位された側とは反対の側のプリズム外面１６０４Ａの外縁部で第１の光路の延在方向に沿った中間箇所に当接するように配置されているが、第２の例では、前記残りの１つの突起５８はプリズム外面１６０４Ａの外縁部の延在方向の中心箇所に当接するように配置されている。
また、２つの第２位置決め用突起６０のうちの他方の突起６０Ｂは、第１の例と同様に、プリズム１６が偏位された側とは反対側の第２の壁面５６０６の外縁部で第１の光路の延在方向に沿った外縁部の両端のうちの一方の端部から第１の光路の延在方向に沿って延在しその先部が、偏位された側とは反対の側の出射面１６０６の外縁部で第１の光路の延在方向に沿った中間箇所に当接する突条として設けられているが、第２の例では、他方の突起６０Ｂの先部はプリズム１６の入射面１６０２寄りの箇所まで延在されている。
このような構成では、第１の例と同様の効果を奏することは無論のこと、３つの第１位置決め用突起５８のうちの残りの１つの突起５８がプリズム外面１６０４Ａの外縁部の延在方向の中心箇所に当接するように配置されるとともに、２つの第２位置決め用突起６０のうち他方の突起６０Ｂの先部がプリズム１６の入射面１６０２寄りの箇所まで延在されているため、第１の例に比較してプリズム収容室５６によるプリズム１６０４の保持をより一層安定させる上で有利となる。
【００４４】
次に第３の例について説明する。
第３の例が第１の例，第２の例と異なるのは、第２位置決め用突起６０の形状である。
図３８は第３の例におけるプリズム収容室の説明図で、中央の図が断面図であり、左側の図が正面図を示し、右上側の図が斜め後方から見た図であり、下側の図が底面図である。
図３８に示すように、第２の例と同様に３つの第１位置決め用突起５８が設けられているが、第１の例、第２の例と異なり、２つの第２位置決め用突起６０は凸条ではなく突起として形成されている。
２つの第２位置決め用突起６０のうちの一方の突起６０Ａは、偏位された側の出射面１６０４の外縁部で第１の光路の延在方向に沿った端部箇所に当接するように配置されている。
２つの第２位置決め用突起６０のうちの他方の突起６０Ｂは、偏位された側とは反対の側の出射面１６０４の外縁部で第１の光路の延在方向に沿った中間箇所に当接するように配置されている。
このような構成では、第２の例と同様の効果を奏することは無論のこと、２つの第２位置決め用突起６０を結ぶ直線にプリズム１６の重心を通る垂線が交差するように配置することにより、第２の例に比較してプリズム収容室５６によるプリズム１６０４の保持をさらに一層安定させる上で有利となる。
【００４５】
次に本発明の要部であるレンズの取り付け構造について説明する。
図１は第１の固定レンズ２２０２が取着される第１鏡筒分割体１２０２の部分を示す斜視図、図２は図１の要部を示す斜視図である。
図３（Ａ）は第１の固定レンズ２２０２が装着される過程を説明する平面図、（Ｂ）は（Ａ）のＡ矢視図である。
図４（Ａ）は第１の固定レンズ２２０２が装着された状態を説明する平面図、（Ｂ）は（Ａ）のＡ矢視図である。
図５は第１の固定レンズ２２０２の接着状態を説明する平面図である。
【００４６】
図１７、図１８に示すように、本発明が適用される第１の固定レンズ２２０２は、第１鏡筒分割体１２０２の部品収容空間１２０２Ａ内でプリズム１６の下方に配置されている。
図３、図４に示すように、第１の固定レンズ２２０２は、その側面が、互いに平行する平面が前記レンズの厚さ方向と直交する方向に延在する２つの第１側面部２２２２と、前記２つの第１側面部２２２２の延在方向の両端を接続する２つの第２側面部２２２４とを有し、第２側面部２２２４は、第２側面部２２２４の延在方向の両端よりも延在方向の中間箇所がレンズの光軸から最も離れる湾曲面で形成されている。
第１の固定レンズ２２０２は、第１側面部２２２２間の寸法が約８ｍｍ、第２側面部２２２４間の寸法が約１０ｍｍであり、極めて小さい。
第１の固定レンズ２２０２は、いわゆるダブルＤカットレンズであり、それら第１側面部２２２２と第２側面部２２２４とが交わる箇所は角部２２２６となっている。
第１の固定レンズ２２０２は、第１鏡筒分割体１２０２のレンズ収容室６６に収容されている。
本実施例では、第１の固定レンズ２２０２はガラス製である。
図１に示すように、レンズ収容室６６は、第１の固定レンズ２２０２の光軸方向に間隔をおいた２つの壁面６６０２、６６０４で挟まれた第１鏡筒分割体１２０２の壁部に貫通された孔部６８により構成されている。
本実施例では、第１鏡筒分割体１２０２乃至第３鏡筒分割体１２０６はグラスファイバーが入ったポリカーボネートやＡＢＳなどの合成樹脂製である。
図１に示すように、孔部６８は、第１の固定レンズ２２０２の輪郭よりも大きな輪郭で一方の壁面６６０２に開口する第１開口部６８０２と、第１の固定レンズ２２０２の輪郭よりも小さな輪郭で他方の壁面６６０４に開口する第２開口部６８０４と、第１開口部６８０２に連なり孔部６８の軸心と直交する方向に平行して延在し２つの第１側面部２２２２間の距離よりも大きな寸法の間隔をおいて対向する２つの第１孔面６８０６と、第１開口部６８０２に連なり２つの第２側面部２２２４が収容される寸法の間隔をおいて対向する２つの第２孔面６８０８とを備えている。
【００４７】
図３（Ａ）に示すように、各第１孔面６８０６は平面で形成されている。
２つの第１孔面６８０６のうちの一方が、２つの第１側面部２２２２間を結ぶ方向におけるレンズの位置決め面として形成されている。
図１に示すように、前記位置決め面とされた第１孔面６８０６には、一方の壁面６６０２近傍において一方の壁面６６０２に近づくにつれ孔部６８から次第に離れる傾斜面６８１０が第１孔面６８０６の延在方向の全長にわたって延在形成されている。
図４（Ａ）に示すように、各第２孔面６８０８は、第２側面部２２２４に対応した湾曲面で形成されている。
本実施例では、位置決め面とされた第１孔面６８０６に第１側面部２２２２を係合しつつ孔部６８に第１の固定レンズ２２０２を挿入すると、２つの第２側面部２２２４が各第２孔面６８０８に係合する（嵌め込まれる）ように構成されている。
【００４８】
図１、図３（Ａ）に示すように、前記位置決め面とされた第１孔面６８０６の延在方向の両端と、第２孔面６８０８との境の箇所に、孔部６８の軸心から離れる方向で第１孔面６８０６および第２孔面６８０８の外側に広がり孔部６８に開放状の凹部７０が一方の壁面６６０２から他方の壁面６６０４に向かって延在形成されている。
また、孔部６８の第２開口部６８０４寄りの箇所に、第１の固定レンズ２２０２の厚さ方向の一方の面に当て付けられる当て付け部７２が設けられ、実施例では図３（Ａ）に示すように、当て付け部７２が３つ設けられている。
他方の壁面６６０４寄りの第２孔面６８０８箇所に、孔部６８の内側に突出する底壁７４が設けられている。
凹部７０の底部は底壁７４で形成され、当て付け部７２は底壁７４上に設けられている。すなわち、凹部７０は、一方の壁面６６０２からの深さが当て付け部７２よりも大きい寸法で形成されている。
【００４９】
また、図１に示すように、第２孔面６８０８には、孔部６８に開放状の接着剤注入用凹部８０が一方の壁面６６０２から他方の壁面６６０４に向かって延在形成されている。接着剤注入用凹部８０は、第２孔面６８０８の周方向に間隔をおいて２つ設けられている。
図１、図５に示すように、接着剤注入用凹部８０は、互いに向かい合う面８００２、８００２により孔部６８の半径方向外方に凸状に（孔部６８の軸心から離れる方向に凸状に）形成され、かつ、それら向かい合う面８００２、８００２間の寸法が孔部６８に開放される部分が最も大きく孔部６８の半径方向外方に離れるにつれて（孔部６８の軸心から離れるにつれて）次第に小さくなるように形成されている。本実施例では、接着剤注入用凹部８０は、孔部６８の半径方向外方に凸状の（孔部６８の軸心から離れる方向に凸状の）湾曲面で形成され、この湾曲面により互いに向かい合う面８００２、８００２が構成されている。
接着剤注入用凹部８０の底部は底壁７４で形成され、したがって、接着剤注入用凹部８０は、一方の壁面６６０２からの深さが当て付け部７２よりも大きい寸法で形成されている。
【００５０】
接着剤注入用凹部８０の延在方向の中間部には、該接着剤注入用凹部８０の内側に突出する凸部８２が設けられている。
凸部８２は、孔部６８から最も離れた接着剤注入用凹部８０の箇所から、孔部６８から最も離れた接着剤注入用凹部８０の箇所と接着剤注入用凹部８０が孔部６８に開放される箇所との間の中間箇所まで突出している。
凸部８２が一方の壁面６６０２に臨む箇所は平面で形成されている。
【００５１】
レンズ収容室６６への第１の固定レンズ２２０２の取り付けは次のように行われる。
第１の固定レンズ２２０２の２つの第１側面部２２２２のうちの１つの第１側面部２２２２を、位置決め面とされた第１孔面６８０６に当て付けつつ、また、２つの第２側面部２２２４を孔部６８の第２孔面６８０８に臨ませつつ、一方の壁面６６０２から孔部６８に挿入する。
この場合、第１孔面６８０６の壁面６６０２箇所に傾斜面６８１０が形成されているので、第１の固定レンズ２２０２の孔部６８への挿入が円滑になされる。
そして、位置決め面とされた第１孔面６８０６に第１側面部２２２２を当て付けつつ第１の固定レンズ２２０２を挿入していくと、２つの第２側面部２２２４が各第２孔面６８０８に係合し、当て付け部７２に第１の固定レンズ２２０２の一方の面が当て付けられる。
本実施例では、位置決め面とされる第１孔面６８０６の両端に凹部７０が設けられているので、第１の固定レンズ２２０２の角部２２２６が孔部６８を構成する壁面に当接し壁面を欠くなどの不具合が防止される。
また、第１の固定レンズ２２０２の角部２２２６により孔部６８の壁面が欠けたとしても、その欠けた削りくずは凹部７０の近傍箇所であり凹部７０に収容されるため、当て付け部７２の上に削りくずが載ってしまうことが防止され、第１の固定レンズ２２０２の位置合わせを正確に行う上で有利となる。
本実施例では、凹部７０の深さを当て付け部７２よりも大きな寸法で形成したので、削りくずが当て付け部７２の上に載ることをより効果的に防止でき、第１の固定レンズ２２０２の位置合わせを正確に行う上でより一層有利となる。
【００５２】
このように孔部６８内に第１の固定レンズ２２０２が位置決めされたならば、紫外線硬化型接着剤により第１の固定レンズ２２０２を孔部６８に固定する。
この固定は次のように行われる。
紫外線硬化型接着剤Ｓ（図５参照）を各接着剤注入用凹部８０に注入し、紫外線硬化型接着剤Ｓに紫外線を照射し硬化させ、これにより第１の固定レンズ２２０２を孔部６８に固定する。
この紫外線硬化型接着剤Ｓの注入作業は、ディスペンサー（注入器）を用いて行われ、より詳細には、ディスペンサーの先端の注入針を接着剤注入用凹部８０に挿入し注入針から紫外線硬化型接着剤Ｓを接着剤注入用凹部８０に注入することで行われる。
本実施例では、接着剤注入用凹部８０が、互いに向かい合う面８００２、８００２により孔部６８の半径方向外方に凸状に形成され、かつ、それら向かい合う面８００２、８００２間の寸法が孔部６８に開放される部分が最も大きく孔部６８の半径方向外方に離れるにつれて次第に小さくなるように形成されているので、注入針を接着剤注入用凹部８０に挿入した後、孔部６８の半径方向外方に移動させそれら面８００２，８００２に当接させることで、注入針の位置が各接着剤注入用凹部８０において一定の位置となる。
したがって、注入針の挿入作業を簡単にしかも安定して行え、さらには、各接着剤注入用凹部８０に均等量の紫外線硬化型接着剤Ｓを注入する上で有利となる。
また、注入された紫外線硬化型接着剤Ｓは向かい合う面８００２，８００２の少なくとも一方の面８００２に沿って第１の固定レンズ２２０２の第２側面部２２２４に流れ込みやすく、したがって、接着面積を確保しつつ安定した接着強度を得る上で有利となる。
【００５３】
また、本実施例では、接着剤注入用凹部８０の延在方向の中間部に該接着剤注入用凹部８０の内側に突出する凸部８２が設けられているので、注入針の先端を凸部８２に当て付けることで、注入針の先端位置を各接着剤注入用凹部８０において一定の位置とすることができる。
したがって、注入針の挿入作業を簡単にしかも安定して行え、さらには、各接着剤注入用凹部８０に均等量の紫外線硬化型接着剤Ｓを注入する上で有利となる。
また、注射針の先端を接着剤注入用凹部８０の底部まで至らないようにできるので、注射針の先端で第１の固定レンズ２２０２の第２側面部２２２４を突き、第１の固定レンズ２２０２を動かしてしまうといった不具合を防止する上で有利となる。
【００５４】
なお、本実施例においては、レンズがダブルＤカットレンズである場合について説明したが、本発明は、Ｄカットレンズにも無論適用可能である。この場合には、レンズは、その側面が、平面からなる第１側面部と、湾曲面からなり前記第１側面部の両端を接続する第２側面部とを有し、前記１つのレンズを収容するレンズ収容室は、前記レンズの光軸方向に間隔をおいた２つの壁面で挟まれた前記鏡筒の壁部に貫通された孔部により構成され、前記孔部は、前記レンズの輪郭よりも大きな輪郭で前記２つの壁面のうちの一方の壁面に開口する第１開口部と、前記第１開口部に連なり前記第１側面部に臨む第１孔面と、前記第１開口部に連なり前記第２側面部に臨む第２孔面とを備え、前記第１孔面の両端と前記第２孔面との境の箇所に、前記孔部の軸心から離れる方向で前記第１孔面および前記第２孔面の外側に広がり前記孔部に開放状の凹部が前記一方の壁面から前記他方の壁面に向かって延在形成されることになる。
また、本発明は、１つの角部を有するレンズの場合にも無論適用可能である。角部は、レンズの側面において、例えば、平面と湾曲面とが交わる箇所、あるいは、平面同士が交わる箇所、あるいは、湾曲面同士が交わる箇所に生じる。そして、この場合、前記１つのレンズを収容するレンズ収容室は、前記レンズの光軸方向に間隔をおいた２つの壁面で挟まれた前記鏡筒の壁部に貫通された孔部により構成され、前記孔部は、前記レンズの輪郭よりも大きな輪郭で前記２つの壁面のうちの一方の壁面に開口する第１開口部と、前記第１開口部に連なり前記レンズの側面に臨む孔面とを備え、前記角部に対応する前記孔面箇所に、前記孔部の軸心から離れる方向で前記孔面の外側に広がり前記孔部に開放状の凹部が前記一方の壁面から前記他方の壁面に向かって延在形成されることになる。
また、本実施例では、撮像装置としてデジタルスチルカメラを例示したが、本発明はビデオカメラやテレビカメラなど撮像装置に無論適用可能である。
【図面の簡単な説明】
【００５５】
【図１】第１の固定レンズ２２０２が取着される第１鏡筒分割体１２０２の部分を示す斜視図である。
【図２】図１の要部を示す斜視図である。
【図３】（Ａ）は第１の固定レンズ２２０２が装着される過程を説明する平面図、（Ｂ）は（Ａ）のＡ矢視図である。
【図４】（Ａ）は第１の固定レンズ２２０２が装着された状態を説明する平面図、（Ｂ）は（Ａ）のＡ矢視図である。
【図５】第１の固定レンズ２２０２の接着状態を説明する平面図である。
【図６】撮像装置を前方から見た斜視図である。
【図７】撮像装置の正面図である。
【図８】撮像装置の背面図である。
【図９】撮像装置の平面図である。
【図１０】撮像装置の制御系を示すブロック図である。
【図１１】レンズ鏡筒１０を前方から見た斜視図である。
【図１２】レンズ鏡筒１０を後方の下方から見た斜視図である。
【図１３】レンズ鏡筒１０の正面図である。
【図１４】レンズ鏡筒１０の背面図である。
【図１５】（Ａ）は図１３のＡ矢視図、（Ｂ）は図１３のＢ矢視図である。
【図１６】（Ｃ）は図１３のＣ矢視図、（Ｄ）は図１３のＤ矢視図である。
【図１７】図１１のＡＡ線断面図である。
【図１８】図１１のＢＢ線断面図である。
【図１９】レンズ鏡筒１０の一部の構成を示す分解斜視図である。
【図２０】レンズ鏡筒１０の残りの構成を示す分解斜視図である。
【図２１】ズーム用可動レンズ群１８、フォーカス用可動レンズ群２０の斜視図である。
【図２２】軸受け部材を上方から見た斜視図である。
【図２３】軸受け部材を下方から見た斜視図である。
【図２４】（Ａ）は軸受け部材の平面図、（Ｂ）は（Ａ）のＢＢ線断面図、（Ｃ）は（Ｂ）のＣ矢視図である。
【図２５】（Ａ）〜（Ｄ）は軸受け部材の説明図で、上側の図が断面図を示し、下側の図が底面図である。
【図２６】レンズ鏡筒の一部を破断した斜視図である。
【図２７】孔部の斜視図である。
【図２８】軸受け部材が孔部に収容された状態を示す斜視図である。
【図２９】軸受け部材が孔部に収容された状態を示す断面図である。
【図３０】メインガイド軸３８の傾きの調整操作の説明図である。
【図３１】メインガイド軸３８の傾きの調整操作の説明図である。
【図３２】プリズム収容室の斜視図である。
【図３３】プリズム収容室の説明図で、中央の図が断面図であり、左側の図が正面図を示し、右上側の図が斜め後方から見た図であり、下側の図が底面図である。
【図３４】プリズム収容室の断面図である。
【図３５】図３４のＡ矢視図である。
【図３６】図３４のＢＢ線断面図である。
【図３７】第２の例におけるプリズム収容室の説明図で、中央の図が断面図であり、左側の図が正面図を示し、右上側の図が斜め後方から見た図であり、下側の図が底面図である。
【図３８】第３の例におけるプリズム収容室の説明図で、中央の図が断面図であり、左側の図が正面図を示し、右上側の図が斜め後方から見た図であり、下側の図が底面図である。
【符号の説明】
【００５６】
１００……撮像装置、１０４……光学系、１０……レンズ鏡筒、１２……鏡筒、２２０２……第１の固定レンズ、２２２２……第１側面部、２２２４……第２側面部、６６……レンズ収容室、６６０２……一方の壁面、６６０４……他方の壁面、６８……孔部、６８０２……第１開口部、６８０４……第２開口部、６８０６……第１孔面、６８０８……第２孔面。
【図１】
2006227404.tif 000003
【図２】
2006227404.tif 000004
【図３】
2006227404.tif 000005
【図４】
2006227404.tif 000006
【図５】
2006227404.tif 000007
【図６】
2006227404.tif 000008
【図７】
2006227404.tif 000009
【図８】
2006227404.tif 000010
【図９】
2006227404.tif 000011
【図１０】
2006227404.tif 000012
【図１１】
2006227404.tif 000013
【図１２】
2006227404.tif 000014
【図１３】
2006227404.tif 000015
【図１４】
2006227404.tif 000016
【図１５】
2006227404.tif 000017
【図１６】
2006227404.tif 000018
【図１７】
2006227404.tif 000019
【図１８】
2006227404.tif 000020
【図１９】
2006227404.tif 000021
【図２０】
2006227404.tif 000022
【図２１】
2006227404.tif 000023
【図２２】
2006227404.tif 000024
【図２３】
2006227404.tif 000025
【図２４】
2006227404.tif 000026
【図２５】
2006227404.tif 000027
【図２６】
2006227404.tif 000028
【図２７】
2006227404.tif 000029
【図２８】
2006227404.tif 000030
【図２９】
2006227404.tif 000031
【図３０】
2006227404.tif 000032
【図３１】
2006227404.tif 000033
【図３２】
2006227404.tif 000034
【図３３】
2006227404.tif 000035
【図３４】
2006227404.tif 000036
【図３５】
2006227404.tif 000037
【図３６】
2006227404.tif 000038
【図３７】
2006227404.tif 000039
【図３８】
2006227404.tif 000040